(57)【要約】  【課題】  繰り返し着用し洗濯した後でも、台衿に接合される羽根衿の裾部分から羽根衿先周辺に至るまでの羽根衿全体が、立体的で美しい形態のまま着用できる衣服を提供する。  【解決手段】羽根衿先部分に羽根衿に配置される芯材とは別に保型材が配置された衣服であって、その保型材の少なくとも一部が該羽根衿と台衿とを接合する縫い目に縫い込まれていることを特徴とする衣服であり、好ましくは保型材の羽根衿と台衿とを接合する縫い目に縫い込まれる部分に、切り込みが付与されている。  【選択図】  図２
2006328579.tif 000002
【特許請求の範囲】
【請求項１】
羽根衿先部分に、羽根衿に配置される芯材とは別に保型材が配置された衣服であって、該保型材の少なくとも一部が該羽根衿と台衿とを接合する縫い目に縫い込まれていることを特徴とする衣服。
【請求項２】
保型材の羽根衿と台衿とを接合する縫い目に縫い込まれる部分に、切り込みが付与されていることを特徴とする請求項１記載の衣服。
【請求項３】
羽根衿先に、羽根衿先と身頃、あるいは左右の羽根衿先同士を掛け止める掛止具が配置されていることを特徴とする請求項１または２記載の衣服。
【発明の詳細な説明】
【技術分野】
【０００１】
本発明は、羽根衿先部分に、羽根衿に配置される芯材とは別に保型材が配置されてなる衣服に関するものである。
【背景技術】
【０００２】
従来、衣服として一般的に提供されているものの多くは、風合いや保型性の付与の観点から羽根衿の一部分あるいは全体に芯地などの芯材が配置されているものが多い。また、服種によっては、ベースの芯材の他に複数の芯材を重ね合わせたり、部分的な保型材などを配置したりすることで、ボリューム感や保型性能をより高めた衣服が提供されている。例えば、ドレスシャツであれば、単体あるいは複数の芯地を重ねて構成される羽根衿芯地を、羽根衿表生地の裏側に接着し、あるいは沿うように配置し、更に羽根衿先の周辺に板状の保型材を配置することによって、衿全体、特に衿先の保型性能を高めたものが一般的に提供されている（特許文献１および特許文献２参照）。
しかしながら、これらの衣服では、一時的に羽根衿先周辺の保型性能は付与されるものの、衣服を洗濯した後に着用すると、羽根衿先周辺が全体的に跳ね上がったり、曲がったりして見栄えが悪くなるという問題があった。また、板状の保型材が羽根衿先の周辺にのみ配置されているため、羽根衿先周辺が平面的になり、立体的な美しい形態の衿を得ることが難しかった。
【０００３】
図１は、このような従来の衣服の上部の一態様を示す正面図である。図１において、衣服は、身頃３、その身頃３に続く台衿２、および羽根衿１で構成されており、羽根衿１と台衿２は縫い目Ｃをもって接合されており、そして、羽根衿先周辺に保型材４が図１のように挿入されている。
【０００４】
このような従来の衣服の問題を改善するため、羽根衿先周辺に型くずれ防止材をその一部分が露出するように配置し、身頃の該露出部分に相対する位置に露出部分をつなぎ止める手段を配置し、両者を掛け止めた状態で着用することにより、羽根衿先が反り返ったり膨れ上がったりすることを防ぐ衣服が提案されている（特許文献３参照）。また同様に、羽根衿先の裏側と、身頃の相対する位置に一対の掛止具を配置し、該掛止具を掛け止めて着用する衣服が提案されている（特許文献４参照）。しかしながら、これらの提案では、羽根衿先の跳ね上がりや型くずれなどは軽減できるものの、前述した従来の技術と同様に、羽根衿先周辺に配置する保型材が羽根衿先周辺にのみ配置されているため、台衿に接合される羽根衿の裾部分から羽根衿先周辺に至るまでの羽根衿全体が、立体的で美しい形態のまま着用できるものではなかった。
【０００５】
一方、羽根衿先の周辺に配置する保型材に形状記憶樹脂を用いることにより、衿の形状をアイロンなどで簡単に整えることができる衣服が提案されている（特許文献５参照）。また同様に、予め立体的な曲面形状を付与した保型材を羽根衿先の周辺に配置することにより、立体的な美観の良い衿が得られる衣服が提案されている（特許文献６参照）。しかしながら、これらの提案では、その効果を得るための特別な材料を安価に入手することが難しく、また、予め曲面形状を付与するための加工工程が必要であり、一般の衣服製造者が容易に実現できるものではなかった。また更にこれらの提案においても、保型材が羽根衿先周辺にのみ配置されているため、台衿に接合される羽根衿の裾部分から羽根衿先周辺に至るまでの羽根衿全体が、立体的で美しい形態のまま着用できるものではなかった。
【特許文献１】特開２０００−１２９５０１号公報
【特許文献２】実開平１−９８１０２号公報
【特許文献３】特開平３−２７１０１号公報
【特許文献４】実開平３−１０３２０３号公報
【特許文献５】実開平２−１１０６２６号公報
【特許文献６】実用新案登録第３０３９８１１号公報
【発明の開示】
【発明が解決しようとする課題】
【０００６】
そこで本発明の目的は、上記の従来技術の問題点を解決することにあり、繰り返し着用し洗濯した後でも、台衿に接合される羽根衿の裾部分から羽根衿先周辺に至るまでの羽根衿全体が、立体的で美しい形態を保持したまま着用できる衣服を提供することにある。
【課題を解決するための手段】
【０００７】
本発明は、上記の課題を解決するため、以下の構成を採用するものである。すなわち、本発明の衣服は、羽根衿先部分に、羽根衿に配置される芯材とは別に保型材が配置された衣服であって、該保型材の少なくとも一部が該羽根衿と台衿とを接合する縫い目に縫い込まれていることを特徴とする衣服である。
【０００８】
本発明の衣服の好ましい態様によれば、前記の保型材は、羽根衿と台衿とを接合する縫い目に縫い込まれる部分に切り込みが付与されているものである。
【０００９】
また、本発明の衣服の好ましい態様によれば、前記の羽根衿先に、羽根衿先と身頃を掛け止める掛止具が配置されている。
【００１０】
また、本発明の衣服の好ましい態様によれば、前記の羽根衿先に、左右の羽根衿先同士を掛け止める掛止具が配置されている。
【発明の効果】
【００１１】
本発明によれば、繰り返し着用し洗濯した後でも、台衿に接合される羽根衿の裾部分から羽根衿先周辺に至るまでの羽根衿全体が、なめらかでな曲面で立体的な美しい形態を保持したままの状態で着用できる衣服が得られる。
【発明を実施するための最良の形態】
【００１２】
以下、本発明の衣服を、図面を用いて詳細に説明するが、本発明はこれらの実施態様に制限されるものではない。
【００１３】
図２は、本発明の衣服の上部の一態様を示す正面図である。図２において、衣服は、身頃３、その身頃３に続く台衿２、および羽根衿１で構成されており、そして、羽根衿先部分に羽根衿１に配置される芯材（図示せず）とは別に保型材５が配置されており、該保型材の少なくとも一部が該羽根衿と台衿とを接合する縫い目に縫い込まれていることが重要である。このようにすることにより、台衿２に接合される羽根衿１の裾部分から羽根衿先に至るまでの羽根衿１全体が、立体的で美しい形態を保持し、そのままの状態で衣服を着用することができるものである。
【００１４】
羽根衿１全体または一部に配置される芯材は、一般的に織物を基布とする接着芯地が用いられることが多いが、通常、芯地として用いられるものであれば、編物や不職布など基布の種類に制限されることなく本発明の効果が得られる。また、表生地に接着しない、ふらしタイプの芯地を用いても、同様の効果が得られる。
本発明の衣服で用いられる保型材５は、羽根衿先の周辺部分に配置されるものであり、保型の効果が得られるものであれば表生地と同じものや接着芯地などでも効果が得られるが、本発明では保型材５としてプラスチックフィルムを使用することが好ましい。プラスチックフィルムとしては、厚みが増すほど本発明の効果が得られやすいが、厚すぎると硬くなりすぎて着用時に違和感がでるため、５０〜１５０マイクロメーター程度の厚みのものが適当である。より好ましくは、８０〜１２０マイクロメートル程度の厚みのものであれば、本発明の効果を得ながら着用時に違和感の少ない衿が得られる。
【００１５】
プラスチックフィルムとしては、ポリ塩化ビニル、アクリル、ポリエチレン、ポリプロピレンおよびポリアミドなど一般的に提供されている高分子化合物系の素材からなるフィルムが挙げられ、耐洗濯性や加工のし易さや入手のし易さなどから、ポリエステルフィルムが好適である。
【００１６】
図３は、本発明の衣服の衿の一態様を示す展開図である。本発明の衣服においては、保型材５の少なくとも一部が羽根衿１と台衿２とを接合する縫い目Ａに縫い込まれていることが重要である。そのため、保型材５は、羽根衿先部分、すなわち、羽根衿先から羽根衿１と台衿２との縫い目Ａにかけて配置されている。
【００１７】
詳しくは、従来の衣服のように、保型材４が羽根衿１と台衿２とを接合する縫い目Ａに縫い込まれていない場合は、図１に示す衿のように羽根衿先の周辺は変形が少ないものの、羽根衿１と台衿２とを接合した縫い目Ａに沿って鋭角に折れ曲がった状態になりやすいが、本発明のように保型材５の少なくとも一部が羽根衿１と台衿２とを接合する縫い目Ａに縫い込むことにより、図２に示すように、台衿２から羽根衿１と台衿２とを接合した縫い目Ａを通って羽根衿先に至るまでの面が、保型材５の曲げに対する反発力に支えられて滑らかな曲面を描き、立体的な美しい曲面形状の衿を得ることができるものである。
【００１８】
この際、保型材５は、図３に示すように、羽根衿１のステッチＢで縫い込まれていてもよい。
【００１９】
また、本発明の衣服の好ましい形態は、保型材５の羽根衿１と台衿２とを接合する縫い目Ａに縫い込まれる部分に、切り込みが付与されていることである。詳しくは、通常、羽根衿１と台衿２とを接合させる縫い目Ａは、立体的な衿の形態を得るために、図３に示すように曲率の異なる形状とするが、本発明のように、保型材５を羽根衿１と台衿２とを接合する縫い目に縫い込む場合、特に保型材５がプラスチックフィルムである場合は、変形の少ない保型材５の裁ち端を揃えて縫い合わせることが困難である。そのため、保型材５の羽根衿１と台衿２とを接合する縫い目に縫い込まれる部分に、切り込みを付与することにより、変形の少ない保型材の裁ち端を変形させ、曲率の異なる台衿側の裁ち端に沿わせながら縫い合わせることができるものである。
【００２０】
図４は、本発明の衣服の保型材の一態様を示す斜視図であり、図５は、本発明の衣服の保型材の他の一態様を示す斜視図である。切り込みとしては、図５に示すような切り込みのみのものでも良いし、図４に示すような略四角形や略三角形の凹凸を付したものでもよい。
【００２１】
保形材５の羽根衿１と台衿２とを接合する縫い目に縫い込まれる部分の辺の長さは、５から５０ミリメートル程度の範囲が好適である。保形材５の全体形状としては、図３に示すように略四角形のものが好適であるが、より好ましくは図８に示すように、保形材５の形状を略三角形とし、衿先に向けて先細りの形状とすると良い。このようにすることにより、保形材５と羽根衿１とを縫い込む辺の数が少なくなり、縫製加工が容易になる。切り込みの大きさは、図４に示すように、羽根衿１と台衿２とを接合する縫い目Ａがかかる位置まで付すことが好ましく、かつ衣服を着用した際、図７に示すように羽根衿の折れ山の頂線Ｅにかかる位置まで付すことが好適である。
【００２２】
更に、本発明のより好ましい形態は、羽根衿先に羽根衿先と身頃、あるいは左右の羽根衿先同士を掛け止める掛止具が配置されていることである。
【００２３】
図６は、本発明の衣服の衿の一態様を示す展開図であり、図７は、本発明の衣服の上部の一態様を説明するための正面図である。
【００２４】
詳しくは、立体的で美しい曲面形状の理想的な形は、図７に示すように、台衿２から羽根衿１と台衿２とを接合する部分を通り、羽根衿１の中間部分までが滑らかな凸上の曲面で膨らんだ山部分Ｃが形成され、羽根衿１の中間部分から羽根衿先を通り身頃に至るまでが滑らかな曲面で凹み、衿全体が美しい複曲面形状となるものである。羽根衿１と台衿２とを接合する縫い目に縫い込んだ保型材の曲げに対する反発力により、台衿２から羽根衿１と台衿２とを接合する部分を通り、羽根衿１の中間部分までを滑らかな曲面で構成するだけでなく、羽根衿先に羽根衿先と身頃３、あるいは左右の羽根衿先を掛け止める掛止具を配置しこれを掛け止めることにより、台衿２から羽根衿１と台衿２とを接合する部分を通り、羽根衿の中間部分までが滑らかな曲面で膨らみ、羽根衿１の中間部分から羽根衿先を通り身頃３に至るまでが滑らかな曲面で凹み、衿全体が美しい複曲面形状となる効果が増長される。羽根衿先と身頃３とを掛け止める方法としては、図７に示すようなボタンダウンの仕様やスナップダウンの仕様の掛止具６（ボタン）にすることで、本発明の効果を得ることができる。
【００２５】
このとき、保型材５は、好ましくは図６に示すように、掛止具７（ボタンホール）を取り付ける位置（衿先部分）をくり抜いた形状に構成することが好ましい。このようにすることにより、掛止具を取り付ける際に、保型材に影響されることなく容易に掛止具を取り付けることが可能となり、また、衣服を着用の際、保型材の硬さに影響されることなく掛止具を掛け止めることができる。また、より好ましくは、図６に示すように、羽根衿中間部分にくる保型材５の一辺Ｄを内カーブに裁ち落として構成することが好ましい。このようにすることにより、保型材５のあたりによる形状が羽根衿１の表側から見えることを防ぐことができる。
【００２６】
また、左右の羽根衿先を掛け止める方法としては、タブカラーの仕様などとすることで、立体的で美しい曲面の衿を得ることができる。
【００２７】
本発明の衣服は、ドレスシャツの他、カジュアルシャツ、ジャケット、ジャンパーおよびコートなど、衿を有するタイプの衣服に好適である。
【実施例】
【００２８】
（１）羽根衿折れ山部分の形状
図７に示すように、台衿から羽根衿と台衿との接合部分を通り、羽根衿に至る折れ山部分Ｃの形状を評価した。
【００２９】
（２）衿全体の形状
台衿と羽根衿を含めて、衿全体の立体形状を評価した。
【００３０】
（実施例１）
本発明の衣服として、ドレスシャツを作製した。素材は、ポリエステル５０％綿５０％のブロード生地を使用し、一般的なレギュラーカラーのドレスシャツとした。羽根衿のベース芯地として、近泉合繊社製の＃ＭＢ２２の接着芯地を使用し、羽根衿の全面に接着した。保型材として、厚さ１００マイクロメートルのポリエステルフィルム（東レ社製“ルミラー”（登録商標））を使用し、図３に示す形状と大きさに加工し、羽根衿の地縫い、衿先返しおよび衿先整形プレス工程を経た後、保型材を図３のように衿先周辺部分に挿入して所定の位置に配置し、羽根衿ステッチで固定した。次いで、台衿と羽根衿の接合の際、図３のように保型材の裾部分を一緒に縫い込んで接合した。このとき、羽根衿と台衿とを接合する縫い目に縫い込まれる部分は、切り込みを付与せずに構成した。得られたドレスシャツを着用し洗濯し、上記の項目について評価した。得られた結果を表１に示す。
【００３１】
（実施例２）
本発明の実施例２として、ドレスシャツを作製した。保型材の裾部分を図４に示すような略四角形の凹凸形状の切り込みとしたこと以外は、実施例１と同じ構成でドレスシャツを作製した。得られたドレスシャツを着用し洗濯し、実施例１と同じ項目で評価した。得られた結果を表１に示す。
【００３２】
（実施例３）
本発明の実施例３として、ドレスシャツを作製した。図７に示すようなボタンダウンカラーのドレスシャツとしたこと以外は、実施例１と同じ構成でドレスシャツを作製した。得られたドレスシャツを着用し洗濯し、実施例１と同じ項目で評価した。得られた結果を表１に示す。
【００３３】
（比較例１）
比較例１として、一般的なドレスシャツを作製した。特許文献１の図４に示されているように、羽根衿先部分に板状の保型材を縫製せずに配置したこと以外は、実施例１と同じ構成としドレスシャツを作製した。得られたドレスシャツを、実施例１と同じ状態で着用評価した。得られた結果を表１に示す。
【００３４】
【表１】
2006328579.tif 000003
【産業上の利用可能性】
【００３５】
本発明の衣服は、繰り返し着用し洗濯した後でも、羽根衿全体が、なめらかでな曲面で立体的な美しい形態を保持したままの状態で着用できるものであり、あらゆる羽根衿付きの衣服に適用することができる。
【図面の簡単な説明】
【００３６】
【図１】図１は、従来の衣服の上部の一態様を示す正面図である。
【図２】図２は、本発明の衣服の上部の一態様を示す正面図である。
【図３】図３は、本発明の衣服の衿の一態様を示す展開図である。
【図４】図４は、本発明の衣服の保型材の一態様を示す斜視図である。
【図５】図５は、本発明の衣服の保型材の他の一態様を示す斜視図である。
【図６】図６は、本発明の衣服の衿の一態様を示す展開図である。
【図７】図７は、本発明の衣服の上部の一態様を説明するための正面図である。
【図８】図８は、本発明の衣服の衿の一態様を示す展開図である。
【符号の説明】
【００３７】
１  ：羽根衿
２  ：台衿
３  ：身頃
４  ：保型材
５  ：保型材
６  ：羽根衿先の掛止具（ボタン）
７  ：羽根衿先の掛止具（ボタンホール）
Ａ  ：縫い目
Ｂ  ：羽根衿のステッチ
Ｃ  ：折れ山部分
Ｄ  ：保型材の一辺
Ｅ  ：折れ山の頂線
【図１】
2006328579.tif 000004
【図２】
2006328579.tif 000005
【図３】
2006328579.tif 000006
【図４】
2006328579.tif 000007
【図５】
2006328579.tif 000008
【図６】
2006328579.tif 000009
【図７】
2006328579.tif 000010
【図８】
2006328579.tif 000011